(57)【要約】【課題】例えば、建屋の二階に設置されている既存の天井クレーンに、新たに別の天井クレーンを増設するような場合に、新たな天井クレーンの設置が容易に短期間に安全かつ安価に行える、天井クレーンの設置方法を提供する。【解決手段】建屋１の天井部分に設置された、走行レール４が敷設されたレール支持梁３に、垂直なストランド７に沿ってジャッキ装置本体６を間欠的に昇降させることが可能なジャッキ装置５を設置し、次いで、ジャッキ装置本体６に構台８を設置し、次いで、構台８上で、レール支持梁３間の距離より短い長さを有するガーダー１１をトロリー１２と共に組み立て、次いで、ジャッキ装置５によりガーダー１１を構台８と共に、ガーダー１１の端部が走行レール４に乗せられたサドル１４と同じ高さになるまで、ストランド７に沿って上昇させ、そして、ガーダー１１の端部とサドル１４とを連結する。【選択図】図４
2014084199.tif 000002
【特許請求の範囲】
【請求項１】
建屋の天井部分に設置された、走行レールが敷設されたレール支持梁に、垂直なストランドに沿ってジャッキ装置本体を間欠的に昇降させることが可能なジャッキ装置を設置し、次いで、前記ジャッキ装置本体に構台を設置し、次いで、前記構台上で、前記レール支持梁間の距離より短い長さを有するガーダーをトロリーと共に組み立て、次いで、前記ジャッキ装置により前記ガーダーを前記構台と共に、前記ガーダーの端部が前記走行レールに乗せられたサドルと同じ高さになるまで、前記ストランドに沿って上昇させ、そして、前記ガーダーの端部と前記サドルとを連結することを特徴とする、天井クレーンの設置方法。
【請求項２】
前記サドルに、前記ガーダーの端部と連結する連結用ブラケットを予め取り付けておくことを特徴とする、請求項１に記載の、天井クレーンの設置方法。
【請求項３】
請求項１または２に記載の発明において、前記ガーダーを前記構台に設置したガーダー用架台上で組み立てることを特徴とする、請求項１または２に記載の、天井クレーンの設置方法。
【請求項４】
建屋の天井部分に設置された、走行レールが敷設されたレール支持梁に、垂直なストランドに沿ってジャッキ装置本体を間欠的に昇降させることが可能なジャッキ装置を設置し、次いで、前記ジャッキ装置本体に、水平旋回可能なガーダー用架台が設けられた構台を設置し、次いで、前記ガーダー用架台上で、ガーダーをトロリーおよびサドルと共に組み立て、次いで、前記ジャッキ装置により前記ガーダーを前記構台と共に、前記ストランドに沿って上昇させ、次いで、前記ガーダー用架台により前記ガーダーを水平旋回させ、そして、前記ジャッキ装置により前記ガーダーを下降させて、前記サドルを前記走行レールに乗せることを特徴とする、天井クレーンの設置方法。
【請求項５】
前記ガーダーを前記建屋の二階で組み立てることを特徴とする、請求項１から４の何れか１に記載の、天井クレーンの設置方法。
【発明の詳細な説明】
【技術分野】
【０００１】
この発明は、天井クレーンの設置方法、特に、例えば、作業床に荷重制約がある建屋に設置されている既存の天井クレーンに、新たに別の天井クレーンを増設するような場合に、新たな天井クレーンの設置が容易に短期間に安全かつ安価に行える、天井クレーンの設置方法に関するものである。
【背景技術】
【０００２】
天井クレーンの設置方法の一例が特許文献１に開示されている。以下、この天井クレーンの設置方法を従来設置方法といい、図面を参照しながら説明する。
【０００３】
図１５は、従来設置方法において、ガーダーを上昇させた状態を示す概略斜視図、図１６は、従来設置方法において、ガーダーと連結用ブラケットとの連結部分を示す平面図である。
【０００４】
図１５および図１６において、２１は、建屋の天井部分に設置されたレール支持梁、２２は、レール支持梁２１に敷設された走行レール、２３は、走行レール２２に沿って走行するサドル、２４は、サドル２３に取り付けられた一対の連結用ブラケット、２５は、建屋内に設置された支柱、２６は、支柱２５に沿って昇降する昇降装置である。
【０００５】
昇降装置２６は、上部フレーム２７、下部フレーム２８、および、上部フレーム２７と下部フレーム２８との間に取り付けられたシリンダ装置２９から構成されている。上部フレーム２７と下部フレーム２８とは、それぞれ支柱２５に対する固定およびその解除が可能になっている。従って、例えば、下部フレーム２８を支柱２５に固定し、上部フレーム２７の支柱２５への固定を解除し、シリンダ装置２９を伸ばすことによって、上部フレーム２７を上昇させることができる。また、上部フレーム２７を支柱２５に固定し、下部フレーム２８の支柱２５への固定を解除し、シリンダ装置２９を縮めることによって、下部フレーム２８を上昇させることができる。この後、再度、下部フレーム２８を支柱２５に固定し、上部フレーム２７の支柱２５への固定を解除し、シリンダ装置２９を伸ばすことによって、上部フレーム２７を上昇させることができる。これらの操作を繰り返し行うことによって、昇降装置２６を支柱２５に沿って間欠的に昇降させることができる。
【０００６】
３０は、支持材であり、レール支持梁２１に沿って設けられた昇降装置２６の上部フレーム２７間に亘って設置されている。３１は、ガーダーであり、支持材３０間上に走行レール２２と直交する方向に乗せられている。３２は、ガーダー３１に沿って走行するトロリーである。
【０００７】
従来設置方法によれば、以下のようにして天井クレーンが設置される。
【０００８】
先ず、建屋内に支柱２５を設置し、各支柱２５に昇降装置２６を設置する。この後、昇降装置２６の上部フレーム２７上にガーダー３１をトロリー３２と共に乗せる。この後、各昇降装置２６を、ガーダー３１の端部がサドル２３の連結用ブラケット２４と同じ高さになるまで同期して上昇させる。このようにしてガーダー３１を連結用ブラケット２４の位置まで上昇させたら、図１４に示すように、ガーダー３１と連結用ブラケット２４とを連結板３３により連結する。このようにして、天井クレーンが設置される。
【先行技術文献】
【特許文献】
【０００９】
【特許文献１】特開平８−１２２６２号公報
【特許文献２】特許第２８２８４３０号公報
【発明の開示】
【発明が解決しようとする課題】
【００１０】
上記従来設置方法によれば、昇降装置２６を操作することによって、天井クレーンを確実に設置することはできるが、以下のような問題があった。
【００１１】
建屋内に支柱２５を設置し、各支柱２５に昇降装置２６を設置しなければならないので、天井クレーンの設置に時間と手間がかかる。しかも、例えば、建屋の二階に設置されている既存の天井クレーンに新たに別の天井クレーンを設置するような場合には、二階の床に支柱２５を設置する必要があるので、二階の床の強度が低い場合には、支柱２５を設置することができないおそれがある。
【００１２】
なお、二階の床の強度が低く、支柱２５を設置することができない場合には、建屋の屋根の一部を壊して、建屋の上から新たな天井クレーンを建屋内に搬入して設置する方法も考えられるが、建屋の天井部分には、種々の配管類(図示せず)が通っている場合があるので、配管類を移動、場合によっては撤去しなければならず、建屋および配管類の撤去と復旧に多大な時間と手間とコストがかかる。また、雨養生も工事期間中は必要となる。
【００１３】
従って、この発明の目的は、例えば、建屋の二階の天井に設置されている既存の天井クレーンに、新たに別の天井クレーンを設置するような場合であっても、新たな天井クレーンの設置が容易に短期間に安全かつ安価に行える、天井クレーンの設置方法を提供することにある。
【課題を解決するための手段】
【００１４】
この発明は、上記目的を達成するためになされたものであって、下記を特徴とするものである。
【００１５】
請求項１記載の発明は、建屋の天井部分に設置された、走行レールが敷設されたレール支持梁に、垂直なストランドに沿ってジャッキ装置本体を間欠的に昇降させることが可能なジャッキ装置を設置し、次いで、前記ジャッキ装置本体に構台を設置し、次いで、前記構台上で、前記レール支持梁間の距離より短い長さを有するガーダーをトロリーと共に組み立て、次いで、前記ジャッキ装置により前記ガーダーを前記構台と共に、前記ガーダーの端部が前記走行レールに乗せられたサドルと同じ高さになるまで、前記ストランドに沿って上昇させ、そして、前記ガーダーの端部と前記サドルとを連結することに特徴を有するものである。
【００１６】
請求項２に記載の発明は、請求項１に記載の発明において、前記サドルに、前記ガーダーの端部と連結する連結用ブラケットを予め取り付けておくことに特徴を有するものである。
【００１７】
請求項３に記載の発明は、請求項１または２に記載の発明において、前記ガーダーを前記構台に設置したガーダー用架台上で組み立てることに特徴を有するものである。
【００１８】
請求項４記載の発明は、建屋の天井部分に設置された、走行レールが敷設されたレール支持梁に、垂直なストランドに沿ってジャッキ装置本体を間欠的に昇降させることが可能なジャッキ装置を設置し、次いで、前記ジャッキ装置本体に、水平旋回可能なガーダー用架台が設けられた構台を設置し、次いで、前記ガーダー用架台上で、ガーダーをトロリーおよびサドルと共に組み立て、次いで、前記ジャッキ装置により前記ガーダーを前記構台と共に、前記ストランドに沿って上昇させ、次いで、前記ガーダー用架台により前記ガーダーを水平旋回させ、そして、前記ジャッキ装置により前記ガーダーを下降させて、前記サドルを前記走行レールに乗せることに特徴を有するものである。
【００１９】
請求項５に記載の発明は、請求項１から４の何れか１に記載の発明において、前記ガーダーを前記建屋の二階で組み立てることに特徴を有するものである。
【発明の効果】
【００２０】
この発明によれば、建屋の天井部分に設置されたレール支持梁に、ストランドに沿ってジャッキ装置本体を間欠的に昇降させることが可能なジャッキ装置を取り付け、このジャッキ装置によりガーダーを吊り上げることによって、例えば、建屋の二階に設置されている既存の天井クレーンに、新たに別の天井クレーンを設置するような場合に、新たな天井クレーンの設置が容易に短期間に安全かつ安価に行える、天井クレーンの設置方法を提供することができる。
【図面の簡単な説明】
【００２１】
【図１】この発明の、天井クレーンの設置方法による構台の組み立て工程を示す正面図である。
【図２】この発明の、天井クレーンの設置方法によるサドルの設置工程を示す正面図である。
【図３】この発明の、天井クレーンの設置方法によるガーダーの組み立て工程を示す正面図である。
【図４】この発明の、天井クレーンの設置方法によるガーダーの吊り上げ工程を示す正面図である。
【図５】この発明の、天井クレーンの設置方法によるガーダーとサドルとの連結工程を示す正面図である。
【図６】この発明の、天井クレーンの設置方法による構台の撤去工程を示す正面図である。
【図７】図１のＡ−Ａ線断面図である。
【図８】図２のＢ−Ｂ線断面図である。
【図９】図３のＣ−Ｃ線断面図である。
【図１０】図４のＤ−Ｄ線断面図である。
【図１１】図６のＥ−Ｅ線断面図である。
【図１２】この発明の、別の、天井クレーンの設置方法によるガーダーの組み立て工程を示す正面図である。
【図１３】この発明の、別の、天井クレーンの設置方法によるガーダーの走行レールへの吊り下ろし工程を示す正面図である。
【図１４】ジャッキ装置を示す一部省略断面図である。
【図１５】従来設置方法において、ガーダーを上昇させた状態を示す概略斜視図である。
【図１６】従来設置方法において、ガーダーと連結用ブラケットとの連結部分を示す平面図である。
【発明を実施するための形態】
【００２２】
この発明の、天井クレーンの設置方法の一実施態様を、図面を参照しながら説明する。
【００２３】
なお、この例は、建屋の二階に設置されている既存の天井クレーンに新たに別の天井クレーンを増設する場合であるが、この発明は、増設に限らず、新設あるいは、建屋の一階からガーダーを吊り上げて天井クレーンを設置する場合、あるいは、一階であっても地下に構造物が設置され、地下の天井が一階の床であり、一階の床の強度が弱い場合等に適用できることは勿論である。
【００２４】
図１は、この発明による構台の組み立て工程を示す正面図、図２は、この発明による構台の吊り上げ工程を示す正面図、図３は、この発明によるガーダーの組み立て工程を示す正面図、図４は、この発明によるガーダーの吊り上げ工程を示す正面図、図５は、この発明によるガーダーとサドルとの連結工程を示す正面図、図６は、この発明による構台の撤去工程を示す正面図である。
【００２５】
図１から図６において、１は、天井クレーンが設置されている二階建ての工場の建屋であり、屋根裏には、種々の配管類２が設置されている。３は、天井クレーンのレール支持梁、４は、レール支持梁３に敷設されている走行レール、５は、レール支持梁３に設置されたジャッキ装置である。ジャッキ装置５は、ジャッキ装置本体６と垂直なストランド７とからなっている。ストランド７の上端は、レール支持梁３に固定される。レール支持梁３は、クレーンの自重とクレーンの定格荷重を支持することができる強度を有しているので、後述する構台８の自重を十分に支持することができる。レール支持梁３は、建物の躯体であっても良い。ストランド７の下部は、後述する構台８を貫通して、後述するジャッキ装置本体６に挿通されている。
【００２６】
８は、構台であり、構台８の下面にジャッキ装置本体６が設置され、ジャッキ装置本体６を操作することにより、構台８は、ジャッキ装置本体６と共にストランド７に沿って間欠的に昇降する。ジャッキ装置本体６の詳細については、後述する。
【００２７】
９は、建屋１の二階の床であり、構台８は、床９に設置された構台組立用架台１０上で組み立てられる。１１は、トロリー１２が設置されたガーダーであり、構台８上にガーダー用架台１３を介して乗せられる。ガーダー用架台１３を設置するのは、ジャッキ装置本体６を上昇限まで上昇させても、ガーダー１１の端部の高さがサドル１４の高さと一致しない場合があるからであり、一致する場合には、ガーダー用架台１３を設置しなくても良い。ガーダー１１の長さは、レール支持梁３間の距離より短く、後述する連結用ブラケット１５間の距離とほぼ等しい。
【００２８】
１４は、走行レール４に沿って走行するサドルである。サドル１４の内側には、ガーダー１１の端部と連結される連結用ブラケット１５が一対、取り付けられている。
【００２９】
次に、ジャッキ装置本体６について説明する。ジャッキ装置本体６は、例えば、特許文献２に開示されているものを使用する。
【００３０】
特許文献２に開示されたジャッキ装置本体の概略を、図面を参照しながら説明する。
【００３１】
図１４は、ジャッキ装置本体を示す一部省略断面図である。
【００３２】
図１４に示すように、ジャッキ装置本体６は、上部ワイヤグリッピング装置４１ａと下部ワイヤグリッピング装置４１ｂとをストランド７に沿って上下に間隔をあけて設けたものから構成されている。上部ワイヤグリッピング装置４１ａの上部アンカーベースプレート４２ａは、油圧ジャッキ４３のピストン４５側に固定され、下部ワイヤグリッピング装置４１ｂの下部アンカーベースプレート４２ｂは、油圧ジャッキ４３のシリンダ４４側に固定されている。油圧ジャッキ４３は、対称位置に複数個、設置され、それぞれ油圧系統により同期して駆動される。
【００３３】
上部ワイヤグリッピング装置４１ａの上部プレッシャープレート４６ａと上部リリースプレート４７ａとは、上部アンカーブロック４８ａを貫通する複数本の連結棒４９により連結され、後述する上部クランピングシリンダ５０ａにより一体的に上下動する。同様に、下部ワイヤグリッピング装置４１ｂの下部プレッシャープレート４６ｂと下部リリースプレート４７ｂとは、下部アンカーブロック４８ｂを貫通する複数本の連結棒４９により連結され、後述する下部クランピングシリンダ５０ｂにより一体的に上下動する。
【００３４】
上部アンカーブロック４８ａには、上部クランピングシリンダ５０ａが固定され、そのピストン５２ａ側に上部リリースプレート４７ａが固定されている。従って、上部クランピングシリンダ５０ａを作動させれば、上部プレッシャープレート４６ａと上部リリースプレート４７ａとは、一体的に上下動する。同様に、下部アンカーブロック４８ｂには、下部クランピングシリンダ５０ｂが固定され、そのピストン５２ｂ側に上部リリースプレート４７ａが固定されている。従って、下部クランピングシリンダ５０ｂを作動させれば、下部プレッシャープレート４６ｂと下部リリースプレート４７ｂとは、一体的に上下動する。
【００３５】
上部クランピングシリンダ５０ａにより、上部プレッシャープレート４６ａと上部リリースプレート４７ａとを同時に上下動させて、上部ワイヤグリッピング装置４１ａの上部ワイヤグリップ５１ａを強制的に上部アンカーブロック４８ａの貫通孔５３ａに対して緩めたり、貫通孔５３ａに嵌め込んだりすることにより、すなわち、開閉することにより、ストランド７の把持または解放を同時に行うことができる。同様に、下部クランピングシリンダ５０ｂにより、下部プレッシャープレート４６ｂと下部リリースプレート４７ｂとを同時に上下動させて、下部ワイヤグリッピング装置４１ｂの下部ワイヤグリップ５１ｂを強制的に下部アンカーブロック４８ｂの貫通孔５３ｂに対して緩めたり、貫通孔５３ｂに嵌め込んだりすることにより、すなわち、開閉することにより、ストランド７の把持または解放を同時に行うことができる。
【００３６】
この操作を上部および下部ワイヤグリッピング装置４１ａ、４１ｂについて交互に行い、ストランド７を把持した上部ワイヤグリッピング装置４１ａを油圧ジャッキ４３により昇降させれば、ストランド７の先端に連結した重量物５４の吊り上げ、吊り下ろしが行える。なお、この例では、重量物５４が構台８に相当し、ジャッキ装置本体６を構台８の下面に設置すれば、ジャッキ装置本体６を操作することにより、構台８は、ジャッキ装置本体６と共にストランド７に沿って間欠的に昇降する。
【００３７】
次に、この発明による天井クレーンの設置方法について説明する。
【００３８】
先ず、図１および図７に示すように、レール支持梁３にジャッキ装置５のストランド７の上端を固定し、ストランド７の下部をジャッキ装置本体６を挿通する。このようにして、レール支持梁３にジャッキ装置５を設置したら、ジャッキ装置本体６上に構台８を設置する。構台８の組み立ては、建屋１の二階の床９に設置した構台組立用架台１０上で行う。
【００３９】
次いで、図２および図８に示すように、構台組立用架台１０を撤去し、走行レール４上にサドル１４を設置する。サドル１４には、予め連結用ブラケット１５を取り付けておく。
【００４０】
次いで、図３および図９に示すように、構台８上にガーダー用架台１３を設置し、ガーダー用架台１３上でガーダー１１をトロリー１２と共に組み立てる。なお、既存のガーダーは、新設の天井クレーンのガーダーと干渉しない位置に既存のトロリーと共に移動させておくが、ガーダー用架台１３上でガーダー１１をトロリー１２と共に組み立てるに際して、既存のクレーンを使用することができる。例えば、新設の天井クレーンのガーダ部品等を建屋に設けた搬入口から直接、構台８まで搬入すれば、二階の床９に荷重をかけないで工事を行うことも可能である。
【００４１】
次いで、図４および図１０に示すように、ジャッキ装置本体６を操作してガーダー１１を構台８および構台組立用架台１０と共に、ストランド７に沿って、ガーダー１１の端部が連結用ブラケット１５と同じ高さになるまで上昇させる。
【００４２】
次いで、図５に示すように、ガーダー１１の端部と連結用ブラケット１５とを連結する。この連結作業は、構台８上で行えるので、安全に行える。
【００４３】
そして、図６および図１１に示すように、ジャッキ装置本体６を操作して構台８を構台組立用架台１０と共に、ストランド７に沿って下降させ、構台８を撤去する。
【００４４】
このようにして、この発明により建屋１の二階に設置されている既存の天井クレーンに新たに別の天井クレーンを増設することができる。
【００４５】
次に、この発明の、別の、天井クレーンの設置方法を、図面を参照しながら説明する。
【００４６】
図１２は、この発明の、別の、天井クレーンの設置方法によるガーダーの組み立て工程を示す正面図、図１３は、この発明の、別の、天井クレーンの設置方法によるガーダーの走行レールへの吊り下ろし工程を示す正面図である。
【００４７】
図１２および図１３において、図１から図６における番号と同一番号は、同一物を示し、説明は、省略する。
【００４８】
この発明の、別の、天井クレーンの設置方法の特徴は、図１２に示すように、水平旋回可能なガーダー用架台１３上で、ガーダー１１をトロリー１２およびサドル１４と共に組み立て、次いで、ジャッキ装置５（図１等参照）によりガーダー１１を構台８と共に、ストランド７（図１等参照）に沿って、サドル１４が走行レール４上にくるまで上昇させ、次いで、図１３に示すように、ガーダー用架台１３によりガーダー１１をトロリー１２およびサドル１４と共に水平旋回させ、そして、ジャッキ装置５によりガーダー１１を下降させて、サドル１４を走行レール４に乗せるものである。
【００４９】
この発明の、別の、天井クレーンの設置方法によれば、ガーダー用架台１３上でガーダー１１をトロリー１２およびサドル１４と共に組み立てることができるので、前述した、この発明の、天井クレーンの設置方法のように、ガーダー１１の端部とサドル１４の連結用ブラケット１５との連結作業が不要となる。
【００５０】
図３に示す状態で、ガーダー１１をトロリー１２およびサドル１４と共に組み立てた場合、レール支持梁３間の距離がサドル１４間の距離より短いので、そのまま上昇させることができない。しかし、上述のように、ガーダー用架台１３を水平旋回可能なものとすれば、この問題は、解消される。
【００５１】
以上説明したように、この発明によれば、建屋１の天井部分に設置されたレール支持梁３に、ストランド７に沿ってジャッキ装置本体６を間欠的に昇降させることが可能なジャッキ装置５を取り付け、このジャッキ装置５によりガーダー１１を吊り上げることによって、例えば、建屋１の二階に設置されている既存の天井クレーンに新たに別の天井クレーンを設置するような場合に、強度の低い二階の床に支柱を構築したり、屋根裏に種々の配管類２が設置されている建屋１の屋根を壊す必要がない。従って、新たな天井クレーンを容易に短期間にかつ安価に増設することができる。また、階下または床下に設備が設置され、床下から補強を入れられない場合でも、問題なく工事を行うことができる。
【００５２】
なお、この発明は、増設に限らず、新設あるいは、建屋の一階からガーダーを吊り上げて天井クレーンを設置する場合等に適用できることは勿論であり、これらの場合にも天井クレーンを容易に短期間に安全かつ安価に設置することができる。
【符号の説明】
【００５３】
１：建屋
２：配管類
３：レール支持梁
４：走行レール
５：ジャッキ装置
６：ジャッキ装置本体
７：ストランド
８：構台
９：二階の床
１０：構台組立用架台
１１：ガーダー
１２：トロリー
１３：ガーダー用架台
１４：サドル
１５：連結用ブラケット
２１：レール支持梁
２２：走行レール
２３：サドル
２４：連結用ブラケット
２５：支柱
２６：昇降装置
２７：上部フレーム
２８：下部フレーム
２９：シリンダ装置
３０：支持材
３１：ガーダー
３２：トロリー
３３：連結板
４１ａ：上部ワイヤグリッピング装置
４１ｂ：下部ワイヤグリッピング装置
４２ａ：上部アンカーベースプレート
４２ｂ：下部アンカーベースプレート
４３：油圧ジャッキ
４４：シリンダ
４５：ピストン
４６ａ：上部プレッシャープレート
４６ｂ：下部プレッシャープレート
４７ａ：上部リリースプレート
４７ｂ：下部リリースプレート
４８ａ：上部アンカーブロック
４８ｂ：下部アンカーブロック
４９：連結棒
５０ａ：上部クラッピングシリンダ
５０ｂ：下部クラッピングシリンダ
５１ａ：上部ワイヤグリップ
５１ｂ：下部ワイヤグリップ
５２ａ：ピストン
５２ｂ：ピストン
５３ａ：貫通孔
５３ｂ：貫通孔
５４：重量物
【図１】
2014084199.tif 000003
【図２】
2014084199.tif 000004
【図３】
2014084199.tif 000005
【図４】
2014084199.tif 000006
【図５】
2014084199.tif 000007
【図６】
2014084199.tif 000008
【図７】
2014084199.tif 000009
【図８】
2014084199.tif 000010
【図９】
2014084199.tif 000011
【図１０】
2014084199.tif 000012
【図１１】
2014084199.tif 000013
【図１２】
2014084199.tif 000014
【図１３】
2014084199.tif 000015
【図１４】
2014084199.tif 000016
【図１５】
2014084199.tif 000017
【図１６】
2014084199.tif 000018